(57)【要約】【課題】  従来よりも使い勝手がよい体用手入れパッドを提供しようとするもの。【解決手段】  裏側から把持可能な薄板状の本体部１の表面に多数の突起２から構成されるブラシ部３を有し、前記ブラシ部３を設けた面を体表面に沿ってしならせることができるように柔軟性を有している。この体用手入れパッドでは、ブラシ部は裏側から把持可能な薄板状の本体部の表面に多数の突起が構成され、体表面に沿ってしならせることができるように柔軟性を有しており、従来のハンドル部を握って洗うボディブラシとは異なり、直接裏側から握って体を擦ることができるので、擦る場所などに応じて力の入れ具合の調整や加減を行いやすい。【選択図】  図１
2005224390.tif 000002
【特許請求の範囲】
【請求項１】
裏側から把持可能な薄板状の本体部１の表面に多数の突起２から構成されるブラシ部３を有し、前記ブラシ部３を設けた面を体表面に沿ってしならせることができるように柔軟性を有していることを特徴とする体用手入れパッド。
【請求項２】
前記ブラシ部３の突起２は長さが異なるように設定した請求項１記載の体用手入れパッド。
【請求項３】
前記突起２は握った際の長手方向に向けて同じ長さのものが並ぶように設定した請求項２記載の体用手入れパッド。
【請求項４】
本体部１の裏側に保持部４を有し、前記保持部４の頂部に突部５を有する請求項１乃至３のいずれかに記載の体用手入れパッド。
【請求項５】
前記保持部４の頂部の突部５を吸盤とした請求項４記載の体用手入れパッド。
【請求項６】
前記本体部１は先端側が薄く後端側が厚い形状とした請求項１乃至５のいずれかに記載の体用手入れパッド。
【請求項７】
前記本体部１の先端側に突状帯６を形成した請求項１乃至６のいずれかに記載の体用手入れパッド。
【発明の詳細な説明】
【技術分野】
【０００１】
この発明は、体、特に首から下の体全体を洗ったりマッサージしたりするための体用手入れパッドに関するものである。
【背景技術】
【０００２】
従来より、シャワーを浴びたりお風呂に入る際には、手ぬぐいや垢すりに石鹸を付けて体の表面を擦って洗う。
【０００３】
しかし、手ぬぐいは使用後の水切れが悪く、絞らずにそのままにしておいたら雑菌が繁殖して清潔に保管できない。
【０００４】
一方、図７に示すように、入浴用のボディブラシとしてハンドル部51と毛部52とを有するものがあった（例えば、特許文献１参照）。
【０００５】
このボディブラシは、毛部52に石鹸を付けハンドル部51を握って体を洗うことができる。ところが、使用後に水で洗って振っても密集した毛の間の水はなかなか切れにくく雑菌が繁殖するおそれがある。そのため、ブラシの毛部52とハンドル部51に抗菌防臭加工が施され衛生面の工夫がなされているものの、雑菌のおそれはなおも残っている。
【０００６】
そして、このボディブラシは体を洗う際に力を入れにくく、あまり使い勝手がよくないという問題があった。
【特許文献１】実開平６―４４４２９号公報（図１）
【発明の開示】
【発明が解決しようとする課題】
【０００７】
そこでこの発明は、従来よりも使い勝手がよい体用手入れパッドを提供しようとするものである。
【課題を解決するための手段】
【０００８】
前記課題を解決するためこの発明では次のような技術的手段を講じている。
(１)この発明の体用手入れパッドは、裏側から把持可能な薄板状の本体部の表面に多数の突起から構成されるブラシ部を有し、前記ブラシ部を設けた面を体表面に沿ってしならせることができるように柔軟性を有していることを特徴とする。
【０００９】
この体用手入れパッドでは、ブラシ部は裏側から把持可能な薄板状の本体部の表面に多数の突起が構成され、体表面に沿ってしならせることができるように柔軟性を有しており、従来のハンドル部を握って洗うボディブラシとは異なり、直接裏側から握って体を擦ることができるので、擦る場所などに応じて力の入れ具合の調整や加減を行いやすい。
【００１０】
ここで、ブラシ部の突起の長さを約３〜２０ｍｍ程度に設定すると、体を洗いやすく且つマッサージ効果がある。
【００１１】
前記の材質として、シリコンエラストマー、シリコンゴム、スチレンゴム、二トリルゴム、アクリルゴム、エチレン酢酸ビニルゴムなどのゴム系のもの、シリコン樹脂やポリエチレン樹脂、ナイロン樹脂、ポリプロピレン樹脂などの軟質合成樹脂などを用いることができる。
【００１２】
(２) 前記ブラシ部の突起は長さが異なるように設定したこととしてもよい。
【００１３】
ブラシ部の突起の長さは全体を同じに設定してもよいが、このように構成すると、長い突起はソフトタッチとして足の指の間などに入れることができ、短い突起で体を強く擦りマッサージ効果を付与することができる。また、異なる長さとすると長い突起と短い突起とで肌触りが変わることとなり、さらに長い突起と短い突起とで体の凹凸にうまくフィットさせることができる。
【００１４】
(３) 前記突起は握った際の長手方向に向けて同じ長さのものが並ぶように設定したこととしてもよい。
【００１５】
このように構成すると、体表面の起伏に沿わせて体を擦り易い。
【００１６】
(４) 本体部の裏側に保持部を有し、前記保持部の頂部に突部を有することとしてもよい。
【００１７】
このように構成すると、保持部の頂部の突部により石鹸をつけたときでも滑って抜けにくくすることができる。また片手で持って円滑に扱うことができる。
【００１８】
(５) 前記保持部の頂部の突部を吸盤としたこととしてもよい。
【００１９】
このように構成すると、吸盤で鏡や壁などににぴったりくっつけることができ水切りして清潔に保管することができる。
【００２０】
(６) 前記本体部は先端側が薄く後端側が厚い形状としたこととしてもよい。
【００２１】
このように構成すると、握ったときの安定感がありまた指先で先端側を曲げて洗う部分にフィットさせることができる。
【００２２】
(７) 前記本体部の先端側に突状帯を形成したこととしてもよい。
【００２３】
このように構成すると、突状帯に指の腹をかけて押さえることにより指との間の摩擦係合力を向上せしめ、石鹸が付いた状態でも逃げにくく扱い易くすることができる。
【発明の効果】
【００２４】
この発明は上述のような構成であり、次の効果を有する。
【００２５】
擦る場所などに応じて力の入れ具合の調整や加減を行いやすいので、従来よりも使い勝手がよい体用手入れパッドを提供することができる。
【発明を実施するための最良の形態】
【００２６】
以下、この発明の実施の形態を図面を参照して説明する。
【００２７】
図１乃至図４に示すように、この実施形態の体用手入れパッドは、裏側から把持可能な薄板状の本体部１の表面に多数の突起２から構成されるブラシ部３を有し、前記ブラシ部３を設けた面を体表面に沿ってしならせることができるように柔軟性を有している。
【００２８】
前記体用手入れパッドの材質として硬度が５０度程度のシリコンエラストマーを用い一体成型したが、シリコンゴム、スチレンゴム、二トリルゴム、アクリルゴム、エチレン酢酸ビニルゴムなどのゴム系のもの、シリコン樹脂やポリエチレン樹脂、ナイロン樹脂、ポリプロピレン樹脂などの軟質合成樹脂などを用いることができる。
【００２９】
前記ブラシ部３の突起２の長さは約３〜２０ｍｍ程度に設定しており、体を洗いやすく且つマッサージ効果がある。また、前記ブラシ部３の突起２は長さが異なるように設定したこととしている。具体的には５ｍｍ、７．５ｍｍ、１０ｍｍの３種類に設定している。前記突起２は、握った際の長手方向に向けて同じ長さのものが並ぶように設定している。前記ブラシ部３の突起２は長手方向から見ると、長さが異なる３段階の波形ブラシとなっている。
【００３０】
前記本体部１の裏側には保持部４を有し、前記保持部４の頂部に突部５を有することとしている。また、前記保持部４の頂部の突部５を吸盤としている。前記保持部４の形状は断面を円形とし本体部１から垂直に突出しており、使用者が根元と上端との間を２本の指で挟んで保持することができるようにしている。
【００３１】
前記本体部１は、先端側が薄く（２ｍｍ程度）後端側が厚い（１０ｍｍ程度）形状としている。また、前記本体部１の先端側には、幅が約４０ｍｍで高さが約７ｍｍの突状帯６を形成している。
【００３２】
次に、この実施形態の体用手入れパッドの使用状態を説明する。
【００３３】
この体用手入れパッドでは、ブラシ部３は裏側から把持可能な薄板状の本体部１の表面に多数の突起２が構成され、体表面に沿ってしならせることができるように柔軟性を有しており、従来のハンドル部を握って洗うボディブラシとは異なり、直接裏側から握って体を擦ることができるので、擦る場所などに応じて力の入れ具合の調整や加減を行いやすく、従来よりも使い勝手がよいという利点がある。
【００３４】
ブラシ部３の突起２の長さは全体を同じに設定してもよいが（図５参照）、図３に示すように長さが異なるように設定すると、長い突起２はソフトタッチとして足の指の間などに入れることができ、短い突起２で体を強く擦りマッサージ効果を付与することができる。また、異なる長さとすると長い突起２と短い突起２とで肌触りが変わることとなり、さらに長い突起２と短い突起２とで体の凹凸にうまくフィットさせることができるという利点がある。
【００３５】
また、前記突起２は握った際の長手方向に向けて同じ長さのものが並ぶように設定しており、体表面の起伏に沿わせて体を擦り易いという利点がある。
【００３６】
さらに、本体部１の裏側に保持部４を有し、前記保持部４の頂部に突部５を有することとしており、保持部４の頂部の突部５により石鹸をつけたときでも滑って抜けにくくすることができる。また片手で持って円滑に扱うことができるという利点がある。前記保持部４の頂部の突部５を吸盤としたこととしており、吸盤で鏡や壁などににぴったりくっつけることができ水切りして清潔に保管することができるという利点がある。
【００３７】
前記本体部１は先端側が薄く後端側が厚い形状としており、握ったときの安定感がありまた指先で先端側を曲げて洗う部分にフィットさせることができるという利点がある。
【００３８】
また、前記本体部１の先端側に突状帯６を形成しており、突状帯６に指の腹をかけて押さえることにより指との間の摩擦係合力を向上せしめ、石鹸が付いた状態でも逃げにくく扱い易くすることができるという利点がある。
【００３９】
この体用手入れパッドは、手のひらにフィットして収まるサイズで適度な重さで使い易く、首から下の全身の洗浄に使用できる柔らかいシリコンエラストマー製のものであり、ブラシ状の突起２で足の裏などをごしごし擦ることができ、肌表面の汚れや古い角質を無理なく除去することができる。タオルや従来のボディブラシよりも水切れがよく、清潔で洗いやすい。さらに、タオルに比べ石鹸等の泡立ちがよく使用後の泡切れも速く扱いが容易である。
【００４０】
また、石鹸なしで水に濡らして擦るとマッサージ効果があり、血行が促進されリンパの流れがよくなる。体を引き締めるスリミング・ジェルを付けて使用することもできる。
【００４１】
図６に示すように、他の実施の形態として、前記保持部４は、使用者の指を入れる挿通穴７を有する形状とすることもできる。この保持部４は、本体部１と一体的に形成された帯状体で形成されている。保持部４の挿入穴に使用者の２本の指を挿入して保持することにより容易に使用することができる。
【産業上の利用可能性】
【００４２】
擦る場所などに応じて力の入れ具合の調整や加減を行いやすいので使い勝手がよく、体の手入れなどの用途に好適に適用することができる。
【図面の簡単な説明】
【００４３】
【図１】この発明の体用手入れパッドの実施形態を説明するブラシ部側から見た斜視図。
【図２】図１の体用手入れパッドを保持部側から見た斜視図。
【図３】図１の体用手入れパッドを長手方向から見た正面図。
【図４】図１の体用手入れパッドの使用状態を説明する斜視図。
【図５】この発明の体用手入れパッドの他の実施形態を説明する正面図。
【図６】この発明の体用手入れパッドのさらに他の実施形態を説明する保持部側から見た斜視図。
【図７】従来のボディブラシを説明する斜視図。
【符号の説明】
【００４４】
１  本体部
２  突起
３  ブラシ部
４  保持部
５  突部
６  突状帯
【図１】
2005224390.tif 000003
【図２】
2005224390.tif 000004
【図３】
2005224390.tif 000005
【図４】
2005224390.tif 000006
【図５】
2005224390.tif 000007
【図６】
2005224390.tif 000008
【図７】
2005224390.tif 000009